(57)【要約】      （修正有）【課題】狭いスペース内でもボルト、ナットあるいはねじの締付け作業を安定してかつスムースに行うことができる締付け工具を提供する。【解決手段】ケース本体１１の後端部にケース本体の長さＬ１以上の長さＬ２を有するグリップ１２が一体に形成された薄形ケース１０と、ケース本体内の先端部に設けられ、ソケット又はドライバーが連結される被駆動ピース２０と、ケース本体内の後端部に回転軸が被駆動ピースの回転軸と平行になるように設けられ、駆動モータ、インパクトレンチ又は操作レバーの軸が連結される駆動ピース２１と、被駆動ピースと駆動ピースの間で駆動力を伝達するギア群３０，３１，３２と、を備える。【選択図】図１
0003152449.tif 000002
【実用新案登録請求の範囲】
【請求項１】
ケース本体(11)の後端部に該ケース本体(11)の長さ(L1)以上の長さ(L2)を有するグリップ(12)が一体に形成された薄形ケース(10)と、
上記ケース本体(11)内の先端部に回転自在に設けられ、ソケット(52)又はドライバー(51)が連結される被駆動ピース(20)と、
上記ケース本体(11)内の後端部に回転自在にかつ回転軸が上記被駆動ピース(20)の回転軸と平行になるように設けられ、駆動モータ、インパクトレンチ(40)又は操作レバー(41)の軸(40A,41A) が連結される駆動ピース(21)と、
上記被駆動ピース(20)と駆動ピース(21)の間で駆動力を伝達するギア群(30,31,32)と、を備えたことを特徴とする締付け工具。
【請求項２】
上記被駆動ピース(20)及び駆動ピース(21)に平歯車(30,32)が外嵌され、該両平歯車(30,32)に平歯車(31)が噛合されている請求項１記載の締付け工具。
【考案の詳細な説明】
【技術分野】
【０００１】
本考案は締付け工具に関し、特に狭いスペース内でもボルト、ナットあるいはねじの締付け作業を安定してかつスムースに行うことができるようにした工具に関する。
【背景技術】
【０００２】
最近、各種の機械、装置、設備ではコンパクト化の観点等から、部品レイアウトの省スペースが図られている。例えば、ソケットレンチなどの締付け工具を差し込んでボルト・ナットやねじの締付け作業をするためのスペースはコンパクト化の観点からは無駄又は可能な限り小さくすべきスペースである。
【０００３】
しかし、締付け作業のためのスペースを犠牲にすると、メンテナンス時に工具を差し込んで作業をすることが難しく、機械、装置や設備の一部を分解する必要が生じ，作業効率が悪い。
【０００４】
これに対し、薄形ケースの一端部にソケットやドライバー等を取付けるピースを、他端部に操作レバー等を取付けるピースを回転可能に設け、両ピースの間に駆動力伝達用のギア群を設け、他端側ピースに操作レバーやインパクトレンチの軸を連結し、一端側ピースにソケットやドライバーを取付けて狭いスペース内に差し込み、ソケットやドライバーをボルト、ナットあるいはねじ頭部に嵌め合せ、操作レバーやインパクトレンチによってソケットやドライバーを回転させ、ボルト、ナットあるいはねじを締付けあるいは緩めるようにした締付け工具が提案されている（特許文献１、特許文献２）。
【先行技術文献】
【特許文献】
【０００５】
【特許文献１】実開平０２−１１４４７０号公報
【特許文献２】特開２０００−３０８９７３号公報
【考案の概要】
【考案が解決しようとする課題】
【０００６】
しかし、特許文献１、２記載の締付け工具では操作レバーやインパクトレンチで締付け操作を行うときに反力によって薄形ケースが一端側ソケットの廻りに回ってしまわないように薄形ケースを押さえておく必要があるが、操作レバーやインパクトレンチの連結部位近くを片手で押さえる必要があるので、大きな反力を片手で受けなければならず、手への負担が大きいばかりでなく、両手が近づきすぎて非常に作業がし難い。
【０００７】
本考案は、かかる点に鑑み、楽に作業を行え、しかも手への負担が少ない締付け工具を提供することを課題とする。
【課題を解決するための手段】
【０００８】
そこで、本考案に係る締付け工具は、ケース本体の後端部に該ケース本体の長さ以上の長さを有するグリップが一体に形成された薄形ケースと、上記ケース本体内の先端部に回転自在に設けられ、ソケット又はドライバーが連結される被駆動ピースと、上記ケース本体内の後端部に回転自在にかつ回転軸が上記被駆動ピースの回転軸と平行になるように設けられ、駆動モータ、インパクトレンチ又は操作レバーの軸が連結される駆動ピースと、上記被駆動ピースと駆動ピースの間で駆動力を伝達するギア群と、を備えたことを特徴とする。
【０００９】
本考案の特徴の１つはケースに長尺のグリップを一体に形成し、駆動モータ、インパクトレンチ又は操作レバーの軸の連結部位から離れた箇所でグリップを握れるようにした点にある。
【００１０】
これにより、駆動モータ、インパクトレンチ又は操作レバーを持つ手と、グリップを握った手との間に適切な間隔をあけることができ、締付け作業を楽に行うことができる。
【００１１】
また、被駆動ピースから離れた箇所でグリップを握ることができるので、ボルト、ナットあるいはねじからの反力を梃子の作用によって片手で軽く受けることができ、手への負担が少なく、締付け作業を安定に行うことができる。
【００１２】
ギア群は具体的には次のように構成できる。すなわち、被駆動ピース及び駆動ピースには平歯車を外嵌し、該両平歯車に平歯車を噛合させることができる。
【００１３】
また、ケース本体内にラチット機構を内蔵し、回転方向を一方向に規制するようにしてもよい。
【図面の簡単な説明】
【００１４】
【図１】本考案に係る締付け工具の好ましい実施形態を示す分解斜視図である。
【図２】上記実施形態において用いる連結用アダプタ及びアダプタ付きドライバーを示す図である。
【図３】上記実施形態における使用方法を模式的に示す図である。
【図４】上記実施形態におけるソケット及びインパクトレンチの取付け状態を示す図である。
【図５】上記実施形態におけるドライバー及び操作レバーの取付け状態を示す図である。
【考案を実施するための形態】
【００１５】
以下、本考案を図面に示す具体例に基づいて詳細に説明する。図１ないし図５は本考案に係る締付け工具の好ましい実施形態を示す。図において、薄形ケース１０は適切な金属材料又はプラスチック材料を用いて製造され、ケース本体１１とグリップ１２と蓋１３とから構成されている。
【００１６】
ケース本体１１は中空状をなし、一面が開口され、該開口は蓋１３によって封鎖され、ねじ１３Ｃによって締付け固定されるようになっている。
【００１７】
ケース本体１１内には先端側に被駆動ピース２０が回転軸（図示せず）によって回転自在に取付けられ、ケース本体１１内の後端側には駆動ピース２１が回転軸（図示せず）によって回転自在に取付けられ、被駆動ピース２０の回転軸と駆動ピース２１の回転軸は相互に平行に設けられている。
【００１８】
被駆動ピース２０には連結用アダプタ５０又はドライバー５１のアダプタ５１Ａが差し込まれてピース２０内面の凹部にストッパーを嵌入させることによって抜止めされるようになっている。
【００１９】
駆動ピース２１にはインパクトレンチ４０の駆動軸４０Ａ先端のアダプタ４０Ｂ又は操作レバー４１の軸４１Ａ先端のアダプタ４１Ｂが差し込まれてピース２１内面の凹部にストッパーを嵌入させることによって抜止めされるようになっている。
【００２０】
また、被駆動ピース２０及び駆動ピース２１にはそれぞれ平歯車３０、３２が外嵌され、両平歯車３０、３２には中間の平歯車３１が噛合され、中間の平歯車３１は回転軸３１Ａによってケース本体１１と蓋１３とに回転可能に支持されている。
【００２１】
また、蓋１３には被駆動ピース３０、駆動ピース３２、中間平歯車３１の回転軸３１Ａ及びねじ１３Ｃが挿通する開口１３Ａ、１３Ｂ、１３Ｄ、１３Ｅが形成されている。
【００２２】
このケース本体１１の後端にはグリップ１２が一体に形成され、グリップ１２の長さＬ２はケース本体１１の長さＬ１と等しいか又は長くなっている。
【００２３】
例えば、図３に示されるように、狭いスペース内のナット６１をボルト６０に締付ける場合、インパクトレンチ４０の駆動軸４０Ａのアダプタ４０Ｂを本例の締付け工具１０の駆動ピース２１に嵌め込む一方、締付け工具１０の被駆動ピース２０に連結用アダプタ５０を嵌め込み、連結用アダプタ５０にソケット５２を連結する。
【００２４】
次に、本例の締付け工具１０のグリップ１２を片手で握り、他方の手でインパクトレンチ４０のグリップを握り、締付け工具１０先端のソケット５２をナット６１に嵌め合せ、その状態でインパクトレンチ４０を作動させると、駆動力がギア３２、３１、３０と伝わり、ソケット５２が回転してナット６１をボルト６０に締付けることができる。ナット６１を緩める時にはインパクトレンチ４０を逆回転させればよい。
【００２５】
また、作業スペースが制限されるときにはインパクトレンチ４０を図３に一点鎖線で示す状態にしてセットするようにしてもよい。
【００２６】
ソケット５２に代え、ドライバー５１のアダプタ５１Ａを被駆動ピース２０に嵌め込み、操作レバー４１の軸４１Ａ先端のアダプタ４１Ｂを駆動ピース２１に嵌め込み、操作レバー４１を回転操作することによってねじを締付けたり緩めたりすることができる。
【符号の説明】
【００２７】
１０      薄形ケース
１１      ケース本体
１２      グリップ
１３      蓋
２０      被駆動ピース
２１      駆動ピース
３０、３１、３２      ギア
４０      インパクトレンチ
４０Ａ    駆動軸
４１      操作レバー
４１Ａ    軸
５１      ドライバー
５２      ソケット
６０      ボルト
６１      ナット
【図１】
0003152449.tif 000003
【図２】
0003152449.tif 000004
【図３】
0003152449.tif 000005
【図４】
0003152449.tif 000006
【図５】
0003152449.tif 000007